【事件の表示】
　平成　８年特許願第３５１２７１号「フレキシブルディスクドライブ用スピンドルモータ起動方法及びディスクチャッキング方法」拒絶査定不服審判事件〔平成１０年　７月３１日出願公開、特開平１０−１９９１２９〕について、次のとおり審決する。
【結　論】
　本件審判の請求は、成り立たない。
【理　由】
１．手続の経緯
　本願は、平成８年１２月２７日に出願した特願８−３５１２７１号であって、平成１６年７月７日付けで拒絶査定がなされ、これに対し、平成１６年８月１３日付けで特許法第１２１条第１項の審判請求がなされたものであり、その請求項１〜５に係る発明は、平成１６年６月１４日付け手続補正書により補正された明細書の特許請求の範囲の請求項１〜５に記載された事項により特定されるとおりのものと認められるところ、請求項１に係る発明は、次のとおりのものと認める（以下、「本願発明」という。）
　
「記録再生時に高速度で回転させる必要のあるフレキシブルディスクの磁気ディスク媒体に対してデータの記録再生を行うフレキシブルディスクドライブに用いられるスピンドルモータによって、前記磁気ディスク媒体を回転起動する方法であって、
　前記磁気ディスク媒体の回転スタート時に、前記高速度より非常に低い低速度でスピンドルモータを回転する第１の工程と、該第１の工程に引き続いて前記スピンドルモータを前記高速度で回転する第２の工程とを、少なくとも２回繰り返し、
　これによって前記フレキシブルディスクのディスクハブのチャッキング穴の半径方向外側の角部に前記スピンドルモータのロータのチャッキングピンを当接させて、前記フレキシブルディスクのディスクハブに対するチャッキングをより確実に行わせることを特徴とするフレキシブルディスクドライブ用スピンドルモータ起動方法。」
　
２．引用例
　これに対して、原査定の拒絶の理由に引用された、本願出願日前に頒布された刊行物である特開昭６３−３２７６０号公報（以下、「引用例１」という。）は、フロッピーディスクなどの記録媒体装着装置に関するものであり、図面とともに、具体的に以下の記載がある。（なお、下線は当審が付与した。）
　
（ア）「
本発明は、フロッピディスクなどの回転記録媒体を装着して回転させる記録媒体装着装置に係り、特に、回転数の大きな記録媒体装着装置の改良に関するものである。
　
（イ）「本発明の説明に先立ち、記録媒体装着装置の動作系を、第３図および第４図にもとづいて説明すると、第３図は記録媒体装着装置の動作原理説明図、第４図（ａ）〜（ｃ）は第３図に符号１で示す回転記録媒体を支持するハブ２とハブ受け７とのチャッキング過程を順を追って説明する平面図である。
　
第３図および第４図において、回転記録媒体１には、金属薄板製のハブ２が接着されており、ハブ２には、チャッキングホール３と位置決めホール４とが配置されている。記録媒体１のチャッキングホール３は、回転するモータ５のシャフト６に嵌合する部位に位置しており、したがってハブ２は、モータ５側のハブ受け７に取り付けられているチャッキングマグネット８に吸引されることにより、ハブ受け７に嵌合され、この時、ハブ受け７に取り付けられている駆動ピン９は、ハブ１０に設けられている位置決めホール４に対し、第４図の（ａ）、（ｂ）、（ｃ）のように順位嵌合して行き、チャッキングを完了する。
〔発明が解決しようとする問題点〕
　ところで、近年、フロッピディスクなどの回転記録媒体は、その記録容量を大きくする傾向がある。たとえば、３．５インチサイズのフロッピディスクは、両面で０．５メガバイトから１．０，１．６，２．０メガバイトと記録容量が大きくなってきており、さらに大容量化が期待されている。
回転記録媒体の容量が大きくなると、データの処理速度も必然的に速くする必要が生じ、データ転送速度の高まりとともに、記録媒体の回転数も上げる必要が生じてくる。
　また、本発明者等は、回転記録媒体の大容量化にともなう記録媒体の高速回転化をはかるべく、チャッキングマグネットの着磁力を大きくし、ハブ受けに対してハブを強く吸引させることを試みたが、大容量のディスクドライブで従来の記録媒体、すなわち容量の小さな記録媒体をも回転させた場合、従来形回転記録媒体の保磁力は小さいため、チャッキングマグネットの磁力が記録媒体の記録に悪い影響を及ぼすことが判った。
　本発明は、上記したごとき従来技術の問題点を解決すべく、さらに検討を重ねた結果なされたものであって、
その目的とするところは、回転記録媒体の大容量化、ひいては記録媒体の高速回転化をはかる場合に、回転記録媒体を支持するハブを傷めたり、チャッキングマグネットの磁力が回転記録媒体の記録に悪影響を及ぼすことがなく、精度の高いチャッキングを定常的に待ることのできる、改良された記録媒体装着装置を提供しようとするものである。
　
（ウ）「
第２図において、モータ５は、回転記録媒体がドライブに装着されたことを検出するディスクインセンサー（Disk In Sensor：以下、ＤＩＳと略称する）１０によって回転を開始する。同時に、タイマー回路１１が作動し、モータ回転数切替回路１２に低速回転指令を出す。モータ５は、タイマー回路１１が働いている間は低速回転（たとえば３００ｒｐｍ）で回転する。タイマー回路１１が所定の時間（たとえば１秒程度）を計数すると、このタイマー回路１１は、モータ回転数切替回路１２に高速回転指令を出し、その結果、モータ５は、低速回転より高速回転（たとえば１２００ｒｐｍ）で回転する。
　第１図は本発明装置の電気回路図である。
　第１図において、ＤＩＳ１０は、回転記録媒体がドライブに装着されると閉じ、タイマー回路１１、モータ駆動回路１３にスタート信号を送る。タイマー回路１１のＱ、Ｑは、抵抗１４、コンデンサ１５の時定数で決まる時間だけ、アンド回路１７にハイレベルの信号を、アンド回路１８にローレベルの信号を出す。アンド回路１７，１８とオア回路１９とで第２図に符号１２で示すモータ回転数切替回路が構成され、モータ５から得られる回転速度に比例するＦＧ信号は２つに分離され、１つはアンド回路１７に送られる。また、他の１つは、１／４分周回路１６に送られ、１／４に分周されて、アンド回路１８に送られる。
　しかして、回転記録媒体がドライブに装着されてモータ５が回転を始める時は、タイマー回路１１のＱがハイレベルとなり、ＦＧ信号はアンド回路１７を通り、オア回路１９を通過して、モータ駆動回路１３に入り、モータ駆動回路１３は、そのＦＧ信号よりモータ５を低速回転（３００ｒｐｍ）するように制御する。
なお、回転記録媒体のチャッキングに適した回転数は６００ｒｐｍ以下が良く、３００ｒｐｍであれば全く問題ないことを実験的に確認した。
　タイマー回路１１が時間計数を終ると、Ｑがハイレベルとなり、ＦＧ倍信号、１／４分周されたものがアンド回路１８、オア回路１９を経て、モータ駆動回路１３に入る。モータ駆動回路１３は、モータ５の回転速度が１／４になったと判断して、４倍の速度、すなわち１２００ｒｐｍで高速回転するようにモータ５の回転速度を制御する。」（公報第２頁左下欄第１８行−第３頁右上欄第１行）
　
（エ）また、第４図（ａ）、（ｂ）、（ｃ）より、ハブ受け７に取り付けられている駆動ピン９は、ハブ１０に設けられている位置決めホールに対し、最終的に（ｃ）の状態、すなわち、ハブの位置決めホールの半径方向外側の角部に駆動ピンを当接させてチャッキングを完了するものであることが読み取れる。　
　
　以上の記載、及び第１−４図を参照していくと、引用例１には、次の発明（以下、「引用例１発明」という。）が開示されていると認めることができる。
　
「フロッピーディスクなどの回転記録媒体を装着して回転させる記録媒体装着装置のチャッキング過程において、回転記録媒体がドライブに装着されたことを検出し、モータ５が回転を開始すると同時にモータ回転数切替回路１２に低速回転指令を出し、モータ５は、タイマー回路１１が働いている間は低速回転（例えば３００ｒｐｍ）で回転し、タイマー回路１１が所定の時間（たとえば１秒程度）を計数すると、タイマー回路１１はモータ回転数切替回路１２に高速回転指令を出し、その結果、モータ５は、低速回転より高速回転（たとえば１２００ｒｐｍ）で回転する記録媒体装着装置。」
　
３．対比
　本願発明と、引用例１発明とを対比すると、引用例１発明の「フロッピーディスクなどの回転記録媒体」は、記録再生時には１２００ｒｐｍという高速で回転されるものであるから、本願発明の、「記録再生時に高速で回転する必要のあるフレキシブルディスクの磁気ディスク媒体」に相当する。
　引用例１発明の「ドライブ」は、明確にその旨の記載はなされていないが、情報が記録される媒体を回転駆動するものであるため、当然にデータの記録再生を行う機能を有するものであり、本願発明の「データの記録再生を行うディスクドライブ」に相当する。
　引用例１発明の「モータ５」は、本願発明の「スピンドルモータ」に相当する。
　引用例１発明の「モータ５が回転を開始すると同時にモータ回転数切替回路１２に低速回転指令を出し、モータ５は、タイマー回路１１が働いている間は低速回転（例えば３００ｒｐｍ）で回転し」は、本願発明の、「磁気ディスク媒体の回転スタート時に、前記高速度より非常に低い低速度でスピンドルモータを回転する第１の工程」に相当する。
　引用例１発明は、ハブ受け７に取り付けられている駆動ピン９が、ハブ１０に設けられている位置決めホールに対し、最終的に（ｃ）の状態、すなわち、ハブの位置決めホールの半径方向外側の角部に駆動ピンを当接されることでチャッキングが完了するものであり（第４図）、このことは、本願発明の、「前記フレキシブルディスクのディスクハブのチャッキング穴の半径方向外側の角部に前記スピンドルモータのロータのチャッキングピンを当接させて、前記フレキシブルディスクのディスクハブに対するチャッキングをより確実に行わせる」動作に相当する。
　してみると、両者は、以下の一致点と相違点を有する。
　
［一致点］
「記録再生時に高速度で回転させる必要のあるフレキシブルディスクの磁気ディスク媒体に対してデータの記録再生を行うフレキシブルディスクドライブに用いられるスピンドルモータによって、前記磁気ディスク媒体を回転起動する方法であって、
　前記磁気ディスク媒体の回転スタート時に、前記高速度より非常に低い低速度でスピンドルモータを回転する工程によって前記フレキシブルディスクのディスクハブのチャッキング穴の半径方向外側の角部に前記スピンドルモータのロータのチャッキングピンを当接させて、前記フレキシブルディスクのディスクハブに対するチャッキングをより確実に行わせるフレキシブルディスクドライブ用スピンドルモータ起動方法。」
　
［相違点］
　本願発明は、「磁気ディスク媒体の回転スタート時に、前記高速度より非常に低い低速度でスピンドルモータを回転する第１の工程と、該第１の工程に引き続いて前記スピンドルモータを前記高速度で回転する第２の工程とを、少なくとも２回繰り返す」のに対し、引用例１発明は、第１の工程に相当する低速回転後は、通常の回転数である高速回転に移行する点。
　
４．判断
　上記相違点について検討すると、まず、本願発明の「少なくとも２回繰り返す」点について、引用例１には、上記摘記事項にあるように（第２頁右下欄第３−１０行）、「モータ５は、タイマー回路１１が働いている間は低速回転（たとえば３００ｒｐｍ）で回転する。タイマー回路１１が所定の時間（たとえば１秒程度）を計数すると」と、チャッキング動作である低速回転を、例えば５回転繰り返すことが記載されている。
　また、これ以外にも、例えば特開平２−１４４６２号公報（特に第３頁右下欄１１行−１５行に、チャッキングに要する時間として、余裕をとる場合には磁気ディスクが２回転に要する時間を見積もっておけばよい旨。）、特開平３−２２４１７４号公報（特に第３頁右上欄第１７行−２０行に、チャッキング機構の動作特性に合わせて低速の回転数とその低速を保つ期間を適当に設定することにより、チャッキングが確実に行われるようにすることができる旨。）等に記載されるように、ある動作を所定回数、あるいは所定時間行うことで、動作の確実性を得ていく手段は、周知である。
　また、本願発明の、「高速度より非常に低い低速度でスピンドルモータを回転する第１の工程と、該第１の工程に引き続いて前記スピンドルモータを前記高速度で回転する第２の工程」について、本願明細書の【００４７】−【００４９】の記載によれば、「低速回転ではチャッキングピン１０８が大容量ＦＤ４０のディスクハブ４３に穿設されたチャッキング穴４３ｂ内に遊貫される場合が多く、ディスクハブ４３とディスクテーブル１２とのチャッキングは確実に行われないことが多く、高速回転に移ることによって、ディスクハブのチャッキング穴４３ｂの半径方向外側の角部４３ｃに前記スピンドルモータのロータのチャッキングピン１０８を当接させて、確実にチャッキングされる」というものであるが、引用例１においては、「回転記録媒体のチャッキングに適した回転数は６００ｒｐｍ以下が良く、３００ｒｐｍであれば全く問題ないことを実験的に確認した。」（公報第３頁左上欄第１１−１４行）と記載されており、低速回転時の回転数の設定によっては、高速回転させる必要なく、確実なチャッキングを行うことが可能であることが示されている。
　要するに、ディスクテーブルの回転による遠心力で、チャッキングピンをチャッキング穴の角部に当接させる動作に際し、引用例１発明のように、適当な速度で回転させる一段階の動作から、本願発明のように、低速から高速に移るような、２段階の動作とすることは、当業者の設計変更により適宜なし得たものと認められる。
　なお、本願発明においては、そもそもスタート時に高速回転を行うことでチャッキングができないことが課題となっている。しかしながら、上記本願明細書【００４７】に記載されるように、低速で確実にチャッキングがなされないのであれば、その状態での高速回転は、従来と同様、継続してチャッキングが行えなくなることが想定される。
　また、本願明細書【００５３】等の記載によれば、通常容量ＦＤは、ケース内に磁気ディスク媒体に対して負荷を加えるリフタを持っているので、低速度ではチャッキングが確実に行われる旨記載されている。
　更に、本願明細書【００４７】の記載によれば、低回転速度ではチャッキングピンがチャッキング穴に遊貫された状態であるから、ディスクの確実なチャッキング状態である、ディスクハブのチャッキング穴の半径方向外側の角部に前記スピンドルモータのロータのチャッキングピンを当接させた状態にはならないことが多い旨記載されている。
　要するに、これらの記載は、どちらも低速回転でありながら、一方は圧力が下向きにかかるためにチャッキング穴の半径方向外側の角部にチャッキングピンが当接するので、確実なチャッキング動作がなされ（圧力が加えられているので回動しにくく、圧力がない場合と比較して、上記のような確実なチャッキング動作が行え得るものかどうかも不明）、他方は下向きに圧力がないのでチャッキングピンはチャッキング穴内で遊貫状態にあり、チャッキング動作がされないという両者は、矛盾した内容として解釈されるもので、本願発明の作用効果の記載には疑義がある。
　したがって、引用例１発明において、低速回転の回転数等を考慮し、その後一時高速で回転させる動作を含めてこれを少なくとも２回以上繰り返すことで、スタート時の確実なチャッキング動作とすることは、当業者が容易に想到し得たことと認められる。
　
５．むすび
　以上のとおり、本願請求項１に係る発明は、引用例１に記載された発明、及び、周知技術に基づいて、当業者が容易に発明をすることができたものであるから、特許法第２９条第２項の規定により特許を受けることができない。
  したがって、本願は、その余の請求項について論及するまでもなく、拒絶すべきものである。
　よって、結論のとおり審決する。